(57)【要約】【課題】使用者がパウチを開封した後、空となったパウチを開口して内容物を収容しやすくすることが可能な、パウチを提供する。【解決手段】パウチ１０は、表面１１と裏面１２とを有する。表面１１及び裏面１２のうち少なくとも一方の面の上部に突部３７が設けられ、突部３７は、表面１１及び裏面１２のうち少なくとも一方の面の外側または内側に突出する。突部３７の外面および内面の両方とも一方の面の同じ側に突出している。【選択図】図１
2017114518.tif 000002
【特許請求の範囲】
【請求項１】
少なくとも表面と裏面とを有するパウチであって、
前記表面及び前記裏面のうち少なくとも一方の面の上部に突部が設けられ、
前記突部は前記一方の面の外側または内側に突出するとともに、前記突部の外面および内面の両方とも前記一方の面の同じ側に突出していることを特徴とするパウチ。
【請求項２】
前記突部は、前記一方の面の幅方向中央部から前記一方の面の幅の１／３以内の範囲に設けられていることを特徴とする請求項１記載のパウチ。
【請求項３】
前記突部は、前記表面及び前記裏面の両方に形成されていることを特徴とする請求項１又は２記載のパウチ。
【請求項４】
前記表面及び前記裏面には、一方の側部から他方の側部に向かって開封予定部が設けられ、正面視において、前記突部は、前記開封予定部よりも下方に延びるように設けられていることを特徴とする請求項１乃至３のいずれか一項記載のパウチ。
【請求項５】
前記表面及び前記裏面は、それぞれアルミニウム層を含むことを特徴とする請求項１乃至４のいずれか一項記載のパウチ。
【発明の詳細な説明】
【技術分野】
【０００１】
本発明は、少なくとも表面と裏面とを有するパウチに関する。
【背景技術】
【０００２】
自立性袋、ガゼット型袋等の種々の形態からなる、プラスチック製の軟包装材から構成された袋容器（以下、パウチとも称する）が知られている。パウチは、例えば、ジュース類、果汁類、ゼリー状飲料、栄養ドリンク剤等の飲料品や、調味料、その他種々の飲食品などの、流動性を有する内容物を収容するために利用されている。
【０００３】
このようなパウチのうち、液体等の内容物が充填された状態でそれ自体が自立性のあるスタンディングパウチが知られている。スタンディングパウチは、可撓性の積層フィルムからなる胴部フィルムの下部に山形に折り曲げた底部フィルムを挟み込んで周囲を加熱シールしたもので、内容物として液体を充填すると底部フィルムが拡開して自立できるようになっており、従来より、ボトルやカートンなどの保形性容器の代替容器として、あるいは、ボトルに内容物を補充する詰め替え用容器として好適に用いられている。
【先行技術文献】
【特許文献】
【０００４】
【特許文献１】実公昭６１−４０６６９号公報
【特許文献２】実開平６−４０８１８号公報
【発明の概要】
【発明が解決しようとする課題】
【０００５】
ところで、従来このようなスタンディングパウチは、内容物を注ぎ出して空となった後、廃棄されることが一般的である。一方、スタンディングパウチに充填されていた内容物が例えば濃縮液からなる場合、スタンディングパウチ内の濃縮液を例えば容器に注ぎ出した後、濃縮液を所定量の水等で薄めることが行われる。この場合、空のスタンディングパウチを用いて所定量の水等を計量して、濃縮液に対して注ぐことができれば便利である。しかしながら、従来、空となったスタンディングパウチを再度開口させることはあまり考慮されていないため、空のスタンディングパウチを開口し、スタンディングパウチに濃縮液を注入したり、スタンディングパウチから濃縮液を注出したりする作業が行いにくいという課題がある。
【０００６】
本発明はこのような点を考慮してなされたものであり、使用者がパウチを開封した後、空となったパウチを開口して内容物を収容しやすくすることが可能な、パウチを提供することを目的とする。
【課題を解決するための手段】
【０００７】
本発明は、少なくとも表面と裏面とを有するパウチであって、前記表面及び前記裏面のうち少なくとも一方の面の上部に突部が設けられ、前記突部は前記一方の面の外側または内側に突出するとともに、前記突部の外面および内面の両方とも前記一方の面の同じ側に突出していることを特徴とするパウチである。
【０００８】
本発明は、前記突部は、前記一方の面の幅方向中央部から前記一方の面の幅の１／３以内の範囲に設けられていることを特徴とするパウチである。
【０００９】
本発明は、前記突部は、前記表面及び前記裏面の両方に形成されていることを特徴とするパウチである。
【００１０】
本発明は、前記表面及び前記裏面には、一方の側部から他方の側部に向かって開封予定部が設けられ、正面視において、前記突部は、前記開封予定部よりも下方に延びるように設けられていることを特徴とするパウチである。
【００１１】
本発明は、前記表面及び前記裏面は、それぞれアルミニウム層を含むことを特徴とするパウチである。
【発明の効果】
【００１２】
本発明によれば、使用者がパウチを開封した後、空となったパウチを開口して内容物を収容しやすくすることができる。
【図面の簡単な説明】
【００１３】
【図１】図１は本発明の一実施の形態によるパウチを示す正面図。
【図２】図２は本発明の一実施の形態によるパウチを示す背面図。
【図３】図３は図１および図２に示すパウチの上縁を開口した状態を示す平面図。
【図４】図４は本発明の一実施の形態によるパウチを用いる際の作用を示す斜視図。
【図５】図５はパウチの変形例を示す正面図。
【図６】図６は図５に示すパウチの上縁を開口した状態を示す平面図。
【図７】図７はパウチの変形例を示す正面図。
【図８】図８はパウチの変形例を示す正面図。
【図９】図９はパウチの変形例を示す正面図。
【発明を実施するための形態】
【００１４】
図１乃至図３により本発明の一実施の形態について説明する。なお、図１および図２は、内容物が充填される前、つまり内容物が充填されていない状態のパウチを示す図である。図３は、上縁を開口した状態のパウチを示す図である。
【００１５】
図１および図２に示すように、パウチ１０は、内容物を充填した後、自立可能なスタンディングパウチ型のパウチとなっており、別個である表面（表面フィルム）１１と裏面（裏面フィルム）１２とが対向するように配置されている。また、パウチ１０は、上縁１３と、上縁１３と対向する下縁１４と、上縁１３と下縁１４との間で延びる第一縁（第一側縁）１５と第二縁（第二側縁）１６とを備えている。このうち第一縁１５に沿って第一側部シール部１７が設けられ、第二縁１６に沿って第二側部シール部１８が設けられている。表面１１と裏面１２との間には、折り目２３ｂで２つ折りにされた底部ガセット部２３が挟み込まれている。
【００１６】
なお、本明細書中、Ｄ１方向とは、下縁１４から上縁１３に向かう方向をいい、Ｄ２方向とは、第一縁１５から第二縁１６に向かう方向をいう。Ｄ１方向は、平面内でＤ２方向に直交している。本実施の形態において、第一縁１５および第二縁１６はそれぞれＤ１方向に平行に延び、上縁１３および下縁１４はそれぞれＤ２方向に平行に延びている。
【００１７】
表面１１および裏面１２は、第一縁１５において第一側部シール部１７により接合され、第二縁１６において第二側部シール部１８により接合されている。パウチ１０の上縁１３には、開口された開口部が形成されている。なお、パウチ１０に内容物が充填された後、上縁１３の開口部がシールされて上部シール部２０（仮想線）が形成される。
【００１８】
底部ガセット部２３は、表面１１および裏面１２に接合されている。すなわち底部ガセット部２３のうち、折り目２３ｂで分断された一方の領域は、舟底形の底部シール部１９において表面１１にシールされ、他方の領域は、舟底形の底部シール部１９において裏面１２にシールされている。また底部ガセット部２３には、その両側下端近傍に半円状の切り欠き２３ａが設けられている。表面１１と裏面１２とは、切り欠き２３ａに対応する位置で互いに直接シールされている。下縁１４の左右両端には、隅部が面取りされて、それぞれ外に凸の円弧状である円弧形状部２７が設けられている。なお、パウチ１０の下縁１４から折り目２３ｂまでの長さをＬ３とする場合、切り欠き２３ａはパウチ１０の下縁１４からパウチ１０の上方（Ｄ１方向）に向かってＬ３の１／２（半分）より上に設けられていることが好ましい。このことにより、自立性を向上させることができる。
【００１９】
パウチ１０の第一縁１５および第二縁１６には、それぞれ略Ｖ字状に切り欠いた開封開始手段（ノッチ）２１が設けられている。パウチ１０に内容物が充填され、上部シール部２０が形成された後、開封開始手段２１から表面１１および裏面１２を切断することにより、パウチ１０に破断開口部３６（図４参照）が形成される。表面１１および裏面１２には、表面１１および裏面１２を貫通しないように、例えばハーフカット線等の易開封手段（開封予定部）２２が設けられている。易開封手段２２を設けることにより、表面１１および裏面１２を容易に切断して開封することが可能となる。この場合、易開封手段２２は、第一縁１５（一方の側部）から第二縁１６（他方の側部）に向かって延びている。なお、易開封手段２２は、必ずしも形成されていなくても良く、あるいは、表面１１および裏面１２の一方のみに形成されていても良い。
【００２０】
図１に示すパウチ１０において、表面１１の上部には、表面１１の外側に向かって突出する突部３７が設けられている。同様に、裏面１２の上部には、裏面１２の外側に向かって突出する突部３７が設けられている。表面１１および裏面１２の突部３７は、それぞれ上縁１３から下縁１４に向かって、すなわちＤ１方向に沿って延びている。各突部３７は、その全体が表面１１又は裏面１２の上部に位置している。なお、突部３７は、その少なくとも一部が表面１１又は裏面１２の上部に位置していれば良く、突部３７の一部が表面１１又は裏面１２の下部に位置しても良い。ここで「上部」とはパウチ１０の高さ方向（Ｄ１方向）の半分よりも上縁１３側の領域をいい、「下部」とはパウチ１０の高さ方向（Ｄ１方向）の半分よりも下縁１４側の領域をいう。
【００２１】
各突部３７は、その上端が上縁１３まで達しており、その下端は、正面視において、易開封手段（開封予定部）２２よりも下方に延びるように設けられている。これにより、易開封手段２２に沿って表面１１および裏面１２を切断して開封した後、突部３７をパウチ１０側に残存させることができる。したがって、突部３７は、易開封手段２２に対して上下方向に交差していれば良く、必ずしもその上端が上縁１３まで達していなくても良い。
【００２２】
各突部３７の外縁は、上下方向に延びる一対の直線部４７、４７と、一対の直線部４７、４７の下端に連結され外に向かって凸の湾曲線部４８とから構成されている。本実施の形態において、直線部４７、４７は互いに略平行な直線からなっているが、これに限らず、曲線又は非平行な直線からなっていても良い。また、湾曲線部４８に代えて、直線状の部分によって一対の直線部４７、４７を連結しても良い。
【００２３】
各突部３７の高さｈ１は、パウチ１０の高さ方向の長さをＬ１とした場合、例えばＬ１の１／９以上１／２以下とすることが好ましく、１／５以上１／３以下とすることがより好ましい。また、各突部３７は、表面１１および裏面１２の幅方向中央部ＣＬの近傍に位置することが好ましく、具体的には、幅方向中央部ＣＬとして、表面１１および裏面１２の幅Ｌ２の１／３以内となる範囲Ｒの内側に設けられていることが好ましい。突部３７の位置を上記範囲とすることにより、空となったパウチ１０を開口しやすくすることができ、パウチ１０内に内容物を充填する作業を効率的に行うことができる。なお、本実施の形態において、各突部３７の中心軸（一対の直線部４７、４７の中間線）は、幅方向中央部ＣＬに一致しているが、各突部３７の中心軸が幅方向中央部ＣＬから横方向にずれていても良い。また、各突部３７の幅ｗ１は、２ｍｍ以上とすることが好ましい。
【００２４】
図３は、上縁１３を開口した状態のパウチ１０を示している。図３に示すように、表面１１および裏面１２の各突部３７は、それぞれエンボスからなっている。各突部３７は、例えば表面１１および裏面１２に対して加熱された一対の型を用いて賦形することにより形成されたものである。表面１１の突部３７は、外面も内面も外側に向かって突出している。同様に、裏面１２の突部３７も、外面も内面も外側に向かって突出している。また、各突部３７の水平断面は、それぞれ外側に向けて湾曲した曲線形状からなっている。各突部３７の突出量ｄ１は、１ｍｍ以上４ｍｍ以下とすることが好ましく２ｍｍ以上３ｍｍ以下とすることがより好ましい。
【００２５】
次に、表面１１および裏面１２の層構成について説明する。表面１１および裏面１２は、少なくとも基材層とシーラント層とが積層された積層フィルムで構成される。このうち基材層を構成する材料としては、ポリエチレンテレフタレート、ナイロン、ポリプロピレン等を用いることができる。また、シーラント層を構成する材料としては、ポリエチレンやポリプロピレン等を用いることができる。積層フィルムは、さらに印刷層、支持体、バリア層などが設けられていてもよい。支持体としては、基材層と同様のプラスチックや紙等を用いることができる。バリア層としては、アルミニウム箔などの金属箔や、アルミニウムなどの無機物や酸化珪素や酸化アルミニウムなどの無機酸化物等を用いることができる。
【００２６】
また、表面１１と裏面１２とは、一枚のフィルムで構成してもよく、二枚以上のフィルムで構成してもよい。表面１１と裏面１２とは、不透明であってもよく、透明であっても良い。
【００２７】
上述したパウチ１０は、流動性を有する内容物を収容するためのものである。流動性を有する限りにおいて、パウチ１０に充填される内容物が特に限られることはない。例えば、パウチ１０に充填されている内容物として、ジュース類、果汁類、ゼリー状飲料、栄養ドリンク剤等の飲料品や、液体状または粉末状の調味料、その他種々の飲食品等を挙げることができる。なお、本実施の形態においては、とりわけ使用時に水で薄めて用いる濃縮液を好適に用いることができる。
【００２８】
次にこのような構成からなる本実施の形態の作用について説明する。なお、以下においては、パウチ１０に充填する内容物として濃縮液を用いた場合を例にとって説明する。
【００２９】
はじめに、表面１１用の積層フィルム、裏面１２用の積層フィルムおよび底部ガセット部２３用の積層フィルムを作製する。積層フィルムは、基材層とシーラント層とが積層された構成をもつ。この場合、基材層の原反を準備し、基材層を連続的に搬送させながら基材層に印刷を施す。次に帯状の基材層を連続的に搬送させながら、溶融押出ラミネート法を用いて基材層にシーラント層を積層して積層フィルムを作製する。なお、ドライラミネート法を用いて基材層にシーラント層を積層してもよい。
【００３０】
次に、このようにして得られた長尺状の表面１１用の積層フィルムおよび裏面１２用の積層フィルムを各々連続的に搬送しながら、レーザー加工することにより各積層フィルムにハーフカット線からなる易開封手段２２を形成する。レーザー加工の種類としては、炭酸ガスレーザーのほか、ＹＡＧレーザー、半導体レーザー、アルゴンイオンレーザー等が可能であり、特に限定するものではない。
【００３１】
次いで、長尺状の表面１１用の積層フィルムおよび裏面１２用の積層フィルムに対して、加熱された一対の型を用いて賦形することにより、それぞれ基材層側に突出する突部３７を形成する。次に帯状の表面１１用の積層フィルムと、帯状の裏面１２用の積層フィルムとを互いのシーラント層が向き合うようにして重ね合わせながら連続的に搬送する。また、折り目２３ｂに対応する位置で二つ折りにした帯状の底部ガセット部２３用の積層フィルムを、表面１１用の積層フィルムと裏面１２用の積層フィルムとの間に挟持する。その後、表面１１用の積層フィルムと、裏面１２用の積層フィルムと、底部ガセット部２３用の積層フィルムとに対してヒートシールを施すことにより、第一側部シール部１７と第二側部シール部１８と底部シール部１９とをそれぞれ形成する。
【００３２】
その後、第一側部シール部１７および第二側部シール部１８にそれぞれ開封開始手段２１を形成し、表面１１と裏面１２と底部ガセット部２３とを個々の包装袋毎に切断して個片化することにより、パウチ１０を得ることができる。
【００３３】
このようにして得られたパウチ１０には、上方の開口部から濃縮液が挿入され、パウチ１０の開口部がヒートシールされて密封され、上部シール部２０が形成される。
【００３４】
使用にあたって、使用者は、パウチ１０の開封開始手段２１から表面１１および裏面１２を切断して開封する。この場合、表面１１および裏面１２において、それぞれ開封開始手段２１から破断（開封）が開始され、表面１１および裏面１２に開封開始手段２１から始まる破断線が形成される。この破断線は、表面１１および裏面１２にそれぞれ形成された易開封手段２２に沿って伝播する。表面１１および裏面１２の破断線によって、パウチ１０の破断開口部３６（図４参照）が形成される。
【００３５】
次に、使用者は、パウチ１０の破断開口部３６から容器に充填されていた濃縮液を全て注出し、パウチ１０を空とする。
【００３６】
続いて、使用者は、パウチ１０の表面１１および裏面１２を開く。このとき、使用者は、左右の両側部（第一縁１５および第二縁１６）を互いに接近させる動作を行うと、これに連動して、表面１１および裏面１２がそれぞれ互いに遠ざかるように外側に折れ曲がる（図４参照）。この場合、表面１１および裏面１２に、それぞれ外側に突出する突部３７が設けられている。このため、パウチ１０を開口させようとした際、突部３７に案内されることによって表面１１および裏面１２をそれぞれ外側に向けて膨らませやすくすることができる。これにより、パウチ１０の破断開口部３６を大きく開きやすくすることができる。この状態で、使用者は、破断開口部３６からパウチ１０に所定量の水（薄め液）を注入する。
【００３７】
その後、使用者は、パウチ１０に充填されて計量された所定量の水を、濃縮液の入った容器に注入することにより、濃縮液を所望の濃度まで薄めることができる。
【００３８】
以上説明したように、本実施の形態によれば、表面１１および裏面１２にそれぞれ突部３７が形成され、各突部３７は表面１１および裏面１２の外面および内面が外側に突出している。そして、突部３７は、易開封手段２２よりも下方に延びるように設けられている。この場合、パウチ１０の左右の両側部を互いに近づけることによりパウチ１０の破断開口部３６を大きく開きやすくすることができる。これにより、水等の内容物を空のパウチ１０に注入したり、あるいは内容物をパウチ１０から注出したりすることが容易となる。これに対して、比較例として、表面１１および裏面１２に突部３７を形成しない場合、パウチ１０の左右の両側部を近づけた際、表面１１および裏面１２が互いに密着した状態で折れ曲ってしまい、パウチ１０を開口させることが難しくなるおそれがある。
【００３９】
また、本実施の形態によれば、突部３７は、表面１１および裏面１２の幅方向中央部ＣＬから表面１１および裏面１２の幅Ｌ２の１／３以内の範囲に設けられているので、パウチ１０の左右の両側部を互いに近づけた際、パウチ１０をより開口させやすくすることができる。
【００４０】
また、本実施の形態によれば、突部３７は、表面１１および裏面１２の両方に形成されているので、パウチ１０の一方の面だけでなく両方の面を外側に折れ曲らせることができる。
【００４１】
さらに、表面１１および裏面１２がアルミニウム箔を備える場合、パウチ１０の左右の両側部を互いに近づけた際、パウチ１０が開口している状態を保持しやすくすることができる。また、レトルト処理やボイル処理などの加熱殺菌を行った場合であっても、凸部３７が変形して突出量ｄ１が小さくなることを抑制することができる。加熱殺菌する場合、表面１１および裏面１２は、例えば、ポリエチレンテレフタレート（ＰＥＴ）、アルミニウム箔、ポリプロピレン（ＣＰＰ）が順に積層された積層体や、ポリエチレンテレフタレート（ＰＥＴ）、ナイロン（ＯＮｙ）、アルミニウム箔、ポリプロピレン（ＣＰＰ）が順に積層された積層体などを用いることができる。
【００４２】
（突部の変形例）
次に、突部の各種変形例について説明する。
【００４３】
上述した実施の形態において、表面１１および裏面１２に突部３７をそれぞれ１つずつ設けられている場合を例にとって説明したが、これに限らず、突部３７が表面１１および裏面１２にそれぞれ複数設けられていても良い。また、表面１１および裏面１２のうち、一方の面のみに１つ又は複数の突部３７が設けられていても良い。
【００４４】
また上述した実施の形態において、表面１１の突部３７と裏面１２の突部３７はいずれも外側に向かって突出する場合を例にとって説明したが、これに限らず、表面１１の突部３７と裏面１２の突部３７は、いずれも内側に向かって突出していてもよいし、一方の突部３７が外側に向かって突出し、他方の突部が内側に向かって突出していてもよい。
【００４５】
また上述した実施の形態において、表面１１の突部３７と裏面１２の突部３７とが互いに同一の形状からなっているが、これに限らず、表面１１の突部３７と裏面１２の突部３７との形状を互いに異ならせても良い。
【００４６】
また上述した実施の形態において、表面１１および裏面１２の突部３７は、一定の幅ｗ１をもった形状からなっているが、これに限らず、図５および図６に示すように、突部３７は、上縁１３から下縁１４に向かって略直線状に延びる稜線部４９を有していても良い。図６に示すように、上縁１３を開口した状態で、表面１１および裏面１２の各突部３７は、それぞれ表面１１および裏面１２の外側に突出している。また、各突部３７の水平断面は、それぞれ山形形状からなっている。突部３７の稜線部４９の両側には、それぞれパウチ１０の内側に向けて凹む湾曲面５１が形成されている。
【００４７】
あるいは、図７に示すように、表面１１および裏面１２の突部３７を下縁１４側に延長し、突部３７の下端３７ａを計量線として用いても良い。すなわち突部３７の下端３７ａの高さ位置（パウチ１０の下縁１４からパウチ１０の上方（上縁１３側）に向かっての位置）は、表面１１および裏面１２を完全に開いた状態で、パウチ１０の内部に予め設定された量の内容物を充填したとき、内容物の上面（液面）に対応する位置ＦＬに設定される。換言すれば、表面１１および裏面１２を開いた状態で、内容物を突部３７の下端３７ａの位置まで充填した場合、内容物の容量は上記予め設定された量に等しくなる。
【００４８】
使用時には、パウチ１０の破断開口部３６を開いた状態で、使用者は、破断開口部３６からパウチ１０に所定量の水（薄め液）を注入する。この場合、使用者は、突部３７の下端３７ａまで水を注入することにより、パウチ１０に注入される水の量が一定の値となるように計量することができる。その後、使用者は、パウチ１０に充填されて計量された所定量の水を、濃縮液の入った容器に注入することにより、濃縮液を所望の濃度まで薄めることができる。なお、表面１１の外側および裏面１２の外側において、それぞれ突部３７の下端３７ａに沿って計量線を表示しても良い。
【００４９】
また、図８に示すように、突部３７に連設され、突部３７から両側に向けて延びる複数（図８では２本）の計量用突部５２ａ、５２ｂを設けても良い。計量用突部５２ａ、５２ｂは、表面１１および裏面１２から外側に向けて突出するとともに、突部３７と一体に形成されている。また、軽量用突部５２ａ、５２ｂはＤ２方向に沿って延びている。この場合、上方に位置する計量用突部５２ａを、濃縮液を薄目に薄める際に用いる薄口用計量線として用い、下方に位置する計量用突部５２ｂを、濃縮液を濃い目に薄める際に用いる濃口用計量線として用いても良い。このうち計量用突部５２ａは、パウチ１０を開いた状態で、パウチ１０に予め設定された薄口用の分量の内容物を充填したとき、その上面（液面）に対応する位置ＦＬ１に設定されている。また計量用突部５２ｂは、パウチ１０の予め設定された濃口用の分量の内容物を充填したとき、その上面（液面）に対応する位置ＦＬ２に設定される。この場合、計量用突部５２ａ、５２ｂを用いて、濃縮液を薄目に薄める場合と濃縮液を濃い目に薄める場合との両方に対応することができる。なお、表面１１の外側および裏面１２の外側において、それぞれ計量用突部５２ａ、５２ｂに沿って濃口用計量線および薄口用計量線を表示しても良い。
【００５０】
また図９に示すように、左右の側部シール部１７、１８が、それぞれ他の部分より幅広の幅広シール部２５、２６を有し、左右の幅広シール部２５、２６に、それぞれ指を挿入するための切り込み２８が形成されていても良い。幅広シール部２５、２６は、側部シール部１７、１８の他の部分と連設して形成されるとともに、側部シール部１７、１８の他の部分よりも幅方向（Ｄ１方向）内側にはみ出している。各切り込み２８は、表面１１および裏面１２を貫通している。左右の切り込み２８の平面形状は、それぞれパウチ１０の幅方向中央側に向けて開口する略Ｃ字状の曲線からなる。略Ｃ字状の切り込み２８によって取り囲まれた部分には、それぞれ内側領域２９が形成されている。左右の内側領域２９をそれぞれ手の指によって押すことにより、内側領域２９がフラップ状に反対側に折れ曲り、これにより、指を挿入するための挿入孔が形成される。
【００５１】
使用者は、切り込み２８の内側にある内側領域２９を指によって押し込み、幅広シール部２５、２６に挿入孔を形成し、この２つの挿入孔に手の指をそれぞれ挿入する。そして挿入孔に挿入した指同士を近づけることによりパウチ１０の破断開口部３６を大きく開くことができる。これにより、手で容易にパウチ１０に開口を形成し、水等の内容物を空のパウチ１０に注入したり、あるいは充填された水等の内容物をパウチ１０から注出したりすることが更に容易となる。また、内容物の充填されたパウチ１０を片手で安定して保持することができる。なお、幅広シール部２５、２６および切り込み２８は、パウチ１０の上部に設けられているが、これに限らず、パウチ１０の下部に設けられていい手も良い。
【００５２】
（パウチの変形例）
上述の実施の形態において、パウチ１０がガセット袋型のパウチとなっている例を示したが、これに限らず、底部ガセット部２３をもたない三方シール袋型や四方シール袋型などの平パウチ型のパウチであってもよい。また、上述の実施の形態では、別個の表面１１と裏面１２とを用いてパウチ１０を形成する例を示したが、これに限らず、一体の表面１１と裏面１２とを用いて三方シール袋型のパウチ１０を形成するようにしてもよい。この場合、底部シール部１９を設けないようにしてもよい。
【００５３】
また、上述の実施の形態では、パウチ１０は、上縁１３、下縁１４、第一縁１５および第二縁１６がいずれも直線である長方形形状である場合を例にとって説明したが、これに限られるものではない。例えばパウチ１０が正方形形状であっても良く、あるいは、上縁１３、下縁１４、第一縁１５および第二縁１６の一部または全部が曲線であっても良い。
【符号の説明】
【００５４】
１０        パウチ
１１        表面
１２        裏面
１３        上縁
１４        下縁
１５        第一縁
１６        第二縁
１７        第一側部シール部
１８        第二側部シール部
１９        底部シール部
２０        上部シール部
２１        開封開始手段
２３        底部ガセット部
３６        破断開口部
３７        突部
【図１】
2017114518.tif 000003
【図２】
2017114518.tif 000004
【図３】
2017114518.tif 000005
【図４】
2017114518.tif 000006
【図５】
2017114518.tif 000007
【図６】
2017114518.tif 000008
【図７】
2017114518.tif 000009
【図８】
2017114518.tif 000010
【図９】
2017114518.tif 000011